(57)【特許請求の範囲】
【請求項１】
内容物が充填された噴射容器に用いる噴射ユニットであって、
前記噴射容器に着脱自在に装着される装着部材と、
前記噴射容器の弁を作動させるための操作部およびその操作部の操作量を伝達するための伝達部を有し、前記操作部の操作により上下動して前記弁のステムを押動あるいは傾動させ、噴口から内容物を噴射する噴射部材と、
前記装着部材に着脱自在に設けられ、電池と、電池の電力により光を照射する光源と、電池と光源との接続／遮断を切り替えるスイッチとを有し、前記内容物の噴射方向とほぼ同じ方向に光を照射する照射部材とを備え、
前記伝達部が、噴口が形成された噴射部の上面に連続する基部と、その基部から噴射部の上面と間隔を空けて平行に延びる平坦部とからなり、
前記照射部材を装着部材に装着し、操作部を操作した際に、伝達部が基部を起点として揺動と反対方向に弾性変形し、その先端が上昇することにより、操作部の操作量が伝達部からスイッチに伝達可能となる、
噴射ユニット。
【請求項２】
前記照射部材が、太陽電池パネルを備え、
その太陽電池パネルにより発電された電力が、前記電池に蓄電されている、
請求項１記載の噴射ユニット。
【請求項３】
前記噴射部材が、噴口が形成された噴射部と、前記操作部および伝達部が設けられた本体部と、それら噴射部と本体部とを連結する変形部とを有し、
前記噴射部材が、装着部材あるいは照射部材に固定され、
前記操作部の操作により、前記変形部が変形し、前記噴射部の噴口の向きを一定にしたまま、本体部が上下動する、請求項１または２に記載の噴射ユニット。
【請求項４】
請求項１〜３のいずれかに記載の噴射ユニットと、
その噴射ユニットが装着されたエアゾール容器とからなるエアゾール製品。
【発明の詳細な説明】
【技術分野】
【０００１】
本発明は噴射ユニットおよびエアゾール製品に関する。さらに詳しくは、噴射位置に光を照射する噴射ユニットおよびエアゾール製品に関する。
【背景技術】
【０００２】
特許文献１には、噴射容器および容器入り殺虫剤が開示されている。このものの噴射ユニットは、容器本体の口部に嵌合する嵌合部と、その嵌合部から延びる支持板に揺動自在に設けられ、揺動して噴射ボタンを押動する操作部とを備えている。その操作部には、ＬＥＤを光源とする照射手段が設けられている。
【０００３】
特許文献２には、懐中電灯兼化学薬剤噴射器が開示されている。このものは懐中電灯の後端に噴射器を配置し、その噴射器から噴射される内容物をチューブにより懐中電灯の前端まで導き、懐中電灯の照射方向に内容物を噴射できるようにしている。
【先行技術文献】
【特許文献】
【０００４】
【特許文献１】特開２０１２−５６６２５号公報
【特許文献２】特開昭４８−７６１０号公報
【発明の概要】
【発明が解決しようとする課題】
【０００５】
特許文献１では、操作部に照射手段が設けられているため、レバーを操作すると照射スイッチが噴射ボタンと当接して押され、照射しながら噴射することができる。しかし、操作部と照射手段を分離することができないため、廃棄するときの無駄が多い。また、照射手段はレバーと共に揺動するため、噴射時に照射位置が動いてしまう。
特許文献２では、噴射操作が煩雑である。
【０００６】
そこで本発明は、中身が無くなっても照射部材を他の噴射製品に付け替えて繰り返し使用することができ、また、照射部材を単独で使用することができる噴射ユニットおよびそれを用いたエアゾール製品を提供することを課題とする。
【課題を解決するための手段】
【０００７】
（１）本発明の噴射ユニットは、内容物が充填された噴射容器に用いる噴射ユニットであって、前記噴射容器に着脱自在に装着される装着部材と、前記噴射容器の弁を作動させるための操作部およびその操作部の操作量を伝達するための伝達部を有し、前記操作部の操作により上下動して前記弁のステムを押動あるいは傾動させ、噴口から内容物を噴射する噴射部材と、前記装着部材に着脱自在に設けられ、電池と、電池の電力により光を照射する光源と、電池と光源との接続／遮断を切り替えるスイッチとを有し、前記内容物の噴射方向とほぼ同じ方向に光を照射する照射部材とを備え、前記照射部材を装着部材に装着したとき、操作部の操作量が伝達部からスイッチに伝達可能となることを特徴としている。
【０００８】
（２）このような噴射ユニットは、前記照射部材が、太陽電池パネルを備え、その太陽電池パネルにより発電された電力が、前記電池に蓄電されているものが好ましい。
【０００９】
（３）また前記噴射部材が、噴口の形成された噴射部と、前記操作部および伝達部の設けられた本体部と、それら噴射部と本体部とを連結する変形部とを有し、前記噴射部が、装着部材あるいは照射部材に固定され、前記操作部の操作により、前記変形部が変形し、前記噴射部の噴口の向きを一定にしたまま、本体部が上下動するものが好ましい。
【００１０】
（４）本発明のエアゾール製品は、上述の噴射ユニットと、その噴射ユニットが装着されたエアゾール容器からなることを特徴としている。
【発明の効果】
【００１１】
（１）、（４）本発明の噴射ユニットおよびエアゾール製品は、照射部材が装着部材と着脱自在であり、照射部材を装着部材に装着すると、操作部材の操作部を操作した時の操作量が伝達部からスイッチに伝達されるため、中身が無くなっても照射部材を他の噴射製品に付け替えて繰り返し使用することができ、無駄がなく環境にやさしい。また、照射部材を単独で使用することもできる。
また、照射部材が装着部材に装着されているので、操作部を操作しても照射部材は動かない。このため操作部を少し操作して噴射対象に光を照射し狙いを定め、その狙いを定めた状態を維持したまま、すなわち照射方向を噴射対象物に定めたまま、さらに操作部を操作して内容物（エアゾール組成物）を噴射対象に噴射することができるので、狙った場所に正確に噴射することができる。
また光を照射したまま内容物を噴射するようにされている場合は、照射した光が動かない状態で内容物が噴射されるので、虫に気づかれにくい。
【００１２】
（２）このような噴射ユニットにおいて、前記照射部材が、太陽電池パネルを備え、その太陽電池パネルにより発電された電力が、前記電池に蓄電されている場合は、未使用時に光を照射するための電力を蓄電することができるので、省エネ（再生可能エネルギーの利用）である。さらに、照射部材は半永久的に付け替え再利用（リユース）することができる。
【００１３】
（３）また前記噴射部材が、噴口の形成された噴射部と、前記操作部および伝達部の設けられた本体部と、それら噴射部と本体部とを連結する変形部とを有し、前記噴射部が、装着部材あるいは照射部材に固定され、前記操作部の操作により、前記変形部が変形し、前記噴射部の噴口の向きを一定にしたまま、本体部が上下動する場合は、操作部の操作により本体部が揺動しても、噴口は照射部材と同じ方向を向いたまま動かないので、狙った場所に一層正確に噴射することができる。
【図面の簡単な説明】
【００１４】
【図１】図１は本発明の噴射ユニットの一実施形態を示す分解斜視図である。
【図２】図２は本発明のエアゾール製品の斜視図である。
【図３】図３は噴射ユニットの分解側面図である。
【図４】図４はエアゾール製品の作動する様子を示す概略図である。
【図５】図５は図２のエアゾール製品の他の実施形態の使用状態を示す概略図である。
【発明を実施するための形態】
【００１５】
まず図２を用いて、本発明のエアゾール製品を説明する。図２に示すエアゾール製品２０は、エアゾール容器２１と、そのエアゾール容器２１の上端付近に装着される噴射ユニット１とを備えている。前記エアゾール容器２１は、アルミニウムやブリキなどの金属製の耐圧容器（以下、容器本体）２２と、その容器本体２２の図示しない開口部に取り付けられるエアゾールバルブ（以下、バルブ）２３とを備えている。前記エアゾール容器２１には、内容物（エアゾール組成物）Ａが充填されている。
【００１６】
前記エアゾールバルブ２３には、ステム２３ａ（図４参照）が設けられている。そのス
テム２３ａは、常時上方にバネで付勢されている。そのステム２３ａをバネの付勢に抗して押し下げることにより、ステム２３ａのステム孔がステムラバーから開放されエアゾール組成物Ａが外部に噴射される。
【００１７】
図１および図３に噴射ユニット１を示す。その噴射ユニット１は、前記エアゾール容器２１（図２参照）の上端付近に着脱自在に装着される装着部材２と、前記バルブ２３に連通する噴射部材３と、前記装着部材２に設けられる照射部材４とを備えている。
【００１８】
前記装着部材２は、エアゾール容器２１のバルブ２３の外周部位２２ａ（図４参照）に嵌合する嵌合部２ａと、その嵌合部２ａから上方に、互いに平行に延びる２枚の支持板２ｂ、２ｂとからなる。その支持板２ｂ、２ｂには、支持孔２ｃ、２ｃがそれぞれ形成されている。また一方の支持板２ｂの上端には、他方の支持板２ｂ側に延びる操作片２ｄが設けられている。さらに前記支持板２ｂ、２ｂには、その上端からそれぞれ外向きに鍔状片２ｆ、２ｆが設けられている。その鍔状片２ｆ、２ｆには、前記照射部材４が取り付けられる。
【００１９】
前記噴射部材３は、下端をバルブ２３のステム２３ａに挿入し、上方に延びる本体部５と、その本体部５の上端から側方に延び、先端に噴口が形成された細長い筒状の噴射部６とを有している。その噴射部材３は、揺動後にステム２３ａを付勢しているバネの力で元の位置に戻る。また図示していないが、本体部５のステム２３ａと連結される部位を別体としてもよい。
【００２０】
前記本体部５の前方には、指でバルブ２３を操作するための操作部５ａが設けられている。また本体部５の後方には、支持軸５ｂ、５ｂが左右に突出している。それら支持軸５ｂ、５ｂは、前記支持板２ｂ、２ｂの支持孔２ｃ、２ｃにそれぞれ通されており、噴射部材３の揺動の軸とされている。図では操作部５ａは、指を掛けて操作するトリガー式のレバーである。
【００２１】
前記噴射部６の上面には、操作部５ａの操作量を伝達するための伝達部６ａが設けられている。その伝達部６ａは、噴射部６の上面に連続する部分である基部６ｂと、その基部６ｂから噴射部６の上面と間隔を空けて平行に前側に延びる平坦部６ｃとからなる。前記基部６ｂは湾曲しており、伝達部６ａは前記湾曲した基部６ｂを主に起点として、上下方向に弾性変形する。また平坦部６ｃもいくらか弾性変形する。そして前記平坦部６ｃと噴射部６の上面との隙間に前記操作片２ｄが配置されている。図４の状態Ｓ３に示すように、前記操作部５ａを操作し、噴射部材３を揺動させると、前記平坦部６ｃも同じ方向に揺動しようとする。しかし平坦部６ｃは前記操作片２ｄが邪魔をして揺動できない。このため平坦部６ｃは、基部６ｂを起点として揺動と反対方向に弾性変形し、その先端が上昇する。この先端の上昇する動作が、照射部材４のＯＮ-ＯＦＦに用いられている。
【００２２】
前記照射部材４は、前記装着部材２の支持板２ｂ、２ａの上端に脱着自在に取付けられるケース７と、そのケース７に固定される太陽電池パネル８ａを有する基板８と、その基板８の上方に配置されるカバー９とからなる。前記ケース７の底板には、開口７ａが形成されている。そのケース７の下面には前記装着部材の鍔状片２ｆ、２ｆに取り付けるための取付部７ｂが設けられている。またカバー９には、太陽電池パネル８ａを外部にさらすための開口９ａが形成されている。
【００２３】
前記基板８には、太陽電池パネル８ａにより得られた電力を蓄える充電池１０と、その充電池１０からの電力により点灯する光源１１とが設けられている。また前記太陽電池パネル８ａの裏側には、充電池１０と光源１１を接続し、光源１１を点灯させるボタン８ｂ（請求項１のスイッチ）が設けられている。そのボタン８ｂには、ボタンカバー８ｃが被
せられ、ケース７の開口７ａから下方にいくらか突出している。その開口７ａの下には、伝達部６ａの先端付近が配置されている（図４の状態Ｓ１参照）。また基板８には、光源１１の点灯を制御する図示しない制御部が設けられている。
【００２４】
前記太陽電池パネル８ａおよび充電池１０は、従来公知のものが採用される。
前記光源１１は、図では３つ設けられているが、その個数は特に限定されない。その光源１１としては、ＬＥＤ（発光ダイオード）、ＬＤ（レーザーダイオード）、白熱電球などが挙げられる。本実施形態では、ＬＥＤが用いられている。
前記ボタン８ｂは、光源１１をＯＮ−ＯＦＦする従来公知のスイッチである。本実施形態では、通常はボタン８ｂが押されておらず、ＯＦＦにされており、伝達部６ａがボタン８ｂを押すとＯＮになる、いわゆるノーマルオープンのスイッチを用いている。
【００２５】
前記照射部材４の光の照射方向とエアゾール組成物Ａの噴射方向とは、ほぼ同じ方向である。ほぼ同じ方向とは、少なくとも平面視で噴射方向と、照射方向とが同じであることである。
また前記噴射部材３を揺動したときの噴口の向き（実際の噴射方向）に、予め照射方向を向けておいてもよい。この場合、噴射部材３が揺動していないときは、照射方向（図４のＹ´参照）は噴口の向いている方向より下方に傾いている。
【００２６】
前記照射部材４が装着部材２と着脱自在であり、照射部材４を装着部材２に装着すると、噴射部材５の操作部５ａを操作した時の操作量が伝達部６ａからボタン８ｂに伝達されるため、中身が無くなっても照射部材４を他のエアゾール製品２０に付け替えて繰り返し使用することができ、無駄がなく環境にやさしい。また、照射部材４を単独で使用することもできる。
また前記照射部材４は装着部材２に装着したとき、操作部５ａの操作量が伝達部からボタン５ｂに伝達可能となる。すなわち装着した時に、伝達部６ａがボタン５ｂに操作量を伝達可能な位置に配置されている。
【００２７】
図４に示すように、状態Ｓ１は操作部５ａが操作されていない状態である。この状態Ｓ１では、噴射方向Ｘと照射方向Ｙは平行である。このとき伝達部６ａの先端は、ボタン８ｂを押動していない。
【００２８】
次いで状態Ｓ２は操作部５ａを少し操作し、噴射部材３を少し揺動させた状態を示している。この状態Ｓ２では、噴射方向Ｘは少し下方に傾くが、照射方向Ｙは動かない。また伝達部６ａの平坦部６ｃは、操作片２ｄにより上方に先端を向け、ボタン８ｂを下方から上方へ押動し、光源１１を点灯させている。このため光源１１の光により隙間や暗所などが照らされ、照射範囲が明るくなり、噴射操作を行うのを容易にしている。また光源１１の光の照射範囲を、噴射対象となる害虫に向けることができる。この噴射部材３の揺動量は、バルブ２３を作動させるほどの操作量ではない。このためエアゾール組成物Ａは噴射されず、噴射が予定される周囲を明るくすると共に、対象物に狙いを定めるにとどまる。なお、噴射対象は害虫だけでなく、隙間や狭部や排水講などの日が当らず見えにくい暗部に照光し、潤滑剤、ホコリ飛ばし、防錆剤、洗浄剤などを噴射する製品にも好適に用いることができる。
【００２９】
そして状態Ｓ３は、操作部５ａをさらに操作し、噴射部材３を大きく揺動させた状態である。この状態Ｓ３では、噴射方向Ｘはさらに下方に傾くが、照射方向Ｙは動かない。また伝達部６ａの先端は、ボタン８ｂを押動したままであるので、光源１１は点灯したままである。この噴射部材３の揺動量は、バルブ２３を作動させる操作量である。このためエアゾール組成物Ａは、噴射される。このとき光源１１の照射方向Ｙを動かさないでエアゾール組成物Ａの噴射ができるので、害虫に気づかれにくい。
【００３０】
最後に指による引き力を緩めると、噴射部材３がステム２３ａのバネにより元の位置に戻される。また伝達部６ａは、弾性変形の復元力によりボタン８ｂから離れる方向に戻り、光源１１が消灯する（状態Ｓ１）。
【００３１】
また噴射部材３を揺動したときの噴口の向き（実際の噴射方向）に、予め照射方向を向けている場合では、状態Ｓ１において噴射方向Ｘに対し照射方向Ｙ´は下方に傾いている。
次いで状態Ｓ２では、噴射方向Ｘは少し下方に傾くが、照射方向Ｙ´と平行にまでなっていない。
そして状態Ｓ３では、噴射方向Ｘは大きく下方に傾き、照射方向Ｙ´と平行になる。このため状態Ｓ２において照射で狙いを定めた範囲に、確実に噴射を行うことができる。
【００３２】
図５の上部には、エアゾール製品の他の実施形態を示す。図５に示すエアゾール製品の噴射ユニット１２は、図１のものとほぼ同じなので、同じ部分には同じ符号を付してその説明を省略する。前記噴射ユニット１２の噴射部材３は、前記噴射部６と本体部５の間に、弾性的に変形し、噴射部６と本体部５を連結する変形部１３を有している。そして噴射部６が、照射部材４のケース７の下面に固定部材２ｅにより固定されている。また図示していないが、噴射部６を装着部材２に固定してもよい。
【００３３】
前記変形部１３は、湾曲できる柔らかいチューブ状の部材（以下、チューブ）である。前記噴射部６はノズル状の部材である。また図示していないが、前記噴射部６をチューブ１３と一体に設け、その一体に設けたチューブ１３の先端付近を固定部材２ｅで固定してもよい。なお本体部５、噴射部６および変形部１３を合成樹脂で一体に成形してもよい。
【００３４】
図５の下部には、前記噴射ユニット１２の使用される状態を示す。前記噴射部材３は、チューブ１３を備えている。そして操作部５ａを操作すると、本体部５は下方に移動する。このときチューブ１３は弾性変形する。これにより前記噴射部６と本体部５との連通を維持しながら本体部５を上下動させることができる。そして噴射部６は、照射部材４に固定されているので、照射部材４の光の照射方向と、噴射部６の噴射方向とが同じである。このため操作部５ａの操作により本体部５が上下動しても、噴射部６は照射部材４と同じ方向を向いたまま動かないので、狙った場所に一層正確に噴射することができる。
【００３５】
前記容器本体２２は、従来公知のスリーピース缶であり、上端に目金２２ｂが設けられている。その目金２２ｂの上方の開口部には、図示しないビードが形成されている。
また図示していないが、前記エアゾール製品２０を噴射容器と、その噴射容器に取り付けられるポンプ式の弁とからなる噴射製品としてもよい。
【００３６】
前記バルブ２３は、図示しないビードにクリンプされる図示しないマウンテイングカップと、そのマウンテイングカップによって保持される図示しないハウジングと、そのハウジング内に上下動または傾動自在に設けられるステム２３ａと、そのステム２３ａを常時上向きに付勢する図示しないバネとを有する公知のものである。そのステム２３ａの下方には、容器本体２２内に連通する図示しないステム孔が形成されており、そのステム孔が図示しないステムラバーにより密閉されている。前記ステム２３ａを押し下げると、前記ステムラバーとステム孔との密閉状態が解除され、エアゾール組成物Ａが、前記ステム孔を介して外部に噴射される。
そのステム２３ａは、少し押し下げても、前記ステムラバーとステム孔との密閉状態が解除されない。このためその密閉状態が解除されるまでの、いわば少し押し下げた状態が、光源１１が点灯し、エアゾール組成物Ａが噴射されない、図４の状態Ｓ２である。
また図示していないが、ステム２３ａを傾動させることによりエアゾール組成物Ａを噴
射させるものでもよい。
【００３７】
図示していないが、装着部材２を容器本体２２の巻き締め部に嵌合させてもよい。また前記噴射部材３をトリガー式のほか押しボタンとしてもよい。
【００３８】
前記エアゾール組成物Ａとしては、殺虫剤の他、潤滑剤、防錆剤、ホコリ飛ばし剤、洗浄剤、消臭剤、芳香剤などの家庭用有効成分や、水虫薬、消炎鎮痛薬、日焼け止め、制汗剤、スタイリング剤、トリートメント剤、染毛剤などの人体用有効成分を配合した原液と、その原液を噴射させるための液化ガスあるいは圧縮ガスなどの噴射剤とからなるものが挙げられる。
【００３９】
前記光源１１による光の照射は、暗所を照らしたり、噴射位置を定める照準としたり、噴射範囲を示したり、害虫誘引するのに用いられる。
例えば、光源１１を暗所を照らすものとして用いると、屋内の家具の隙間、天井、床下、配管内を照らすのに使用したり、夜間に屋外で使用したり、車内で使用したりするのを容易にする。
また照準として用いると、殺虫剤として害虫に照射する他に、水虫や肩こりなどの患部、頭髪などの人体に噴射するのに用いられる。このため照射部材４の照射により噴射される範囲を予め把握することで、エアゾール製品２０を安全に使用することができる。
さらに噴射範囲を示すものとして用いると、有効成分が不要な場所に飛散するのを防止できる。例えば頭髪用の有効成分や薬剤など、余計な場所に飛散するのが好ましくない原液に対して有効である。
【００４０】
前記光源１１の光は、広範囲に散乱させて暗所を照らしたり、集光させて照準としたり、照射範囲を絞り板により絞ることにより噴射範囲を示すのに用いられる。
また照射される光をスリットに通し、対象物に十字状あるいはＹ字状に投射して照準としたり、照射される光で投射される形状が、大きな輪になるようにし、実際に噴射されるエアゾール組成物Ａの噴射範囲を示してもよい。
さらに複数個の光源１１を用い、それら複数の光源１１の光をそれぞれ集光させ、それら集光させた複数の点を対象物付近に投射させ、投射された点、例えば三角形の３つの頂点を投射させ、それら投射された点の内側（三角形の内部）を噴射範囲としてもよい。
【００４１】
また照射される光を十字状やＹ字状にする場合に、噴口を十字状あるいはＹ字状に形成し、噴射されるエアゾール組成物Ａがどのように噴射対象物に噴霧されるのか把握できるようにしてもよい。
【００４２】
さらに図示してないが、用途の異なる光源１１を組み合わせてもよい。例えば、光を絞って噴射範囲を投射する光源１１と、レンズなどを用い集光させて照準として用いる光源１１とを組み合わせるなどである。さらに暗所を照らす光源１１を組み合わせてもよい。これら光源１１は、操作部５ａの操作により（状態Ｓ２）、同時に点灯させてもよい。また順次点灯するようにしてもよい。
【００４３】
また使用される用途に応じて、光源１１の種類を選択することができる。例えば照準として用いる光源１１としてＬＤ、ＬＥＤを用い、噴射範囲を投射するものとしてＬＥＤを用い、暗所を照らすものとしてＬＥＤ、白熱球を用いるなどである。
【００４４】
また図示していないが、前記照射部材４と装着部材２の取付方法としては、例えば装着部材２の支持板２ｂ、２ｂの間に照射部材４をスライドさせ、そのスライド端で照射部材４を装着部材２に係合させたり、照射部材４を装着部材２の上方から押し込んで嵌合させたり、照射部材４を装着部材２に仮置きし、その後照射部材４を回転させることにより係
合させたりしてもよい。スライドさせたり、回転させると、弱い力で脱着させることができる。
【００４５】
前記伝達部６ａは、操作部５ａの操作量を伝達するものである。その操作量とは、バルブ２３のステム２３ａの押動あるいは傾動する量に関連付けられる。前記操作量の伝達は、ステム２３ａの押動あるいは傾動する量を、伝達部６ａの移動量に変換して行われる。その伝達部６ａの移動方向は、上下左右のどの方向でもよい。
その伝達部６ａの形状は、ステム２３ａの押動あるいは傾動する量を照射部材４に伝達できるなら、その形状は板状に限定されない。例えば、操作量に基づいて上方に突出する突起としたり、操作量に基づいて回転する円盤にしてもよい（例えば後述するロータリーエンコーダなど）。
また前記伝達部６ａで常時ボタン８ｂを押圧しておき、噴射部材３を揺動させると、伝達部６ａがボタン８ｂから離れ、それにより光源１１が点灯するようにしてもよい（ノーマルクローズ）。例えば、ロック機構を用いて、常時ボタン８ｂを押圧させ、全量噴射タイプの燻蒸剤に床から上方に光照射と内容物噴射させる。
【００４６】
前記ボタン８ｂとして、伝達部６ａがボタン８ｂを押動させる量を検知できるものとしてもよい。これにより複数の光源１１を順次点灯したり、異なる用途の光源１１を点灯させることができる。また噴射時に光を薄く、あるいは消灯し、虫に気づかれにくくし、その上でエアゾール組成物Ａを害虫なに噴射することもできる。
さらにボタン８ａに伝達部６ａの押圧力を感知できる押圧センサーを用いると、伝達部６ａにより噴射部材３の揺動の程度が連続的な量として検知できる。これにより、光源１１の光の強さを次第に強弱させるなどの制御ができる。
また前記ボタン８ｂとして、非接触式のものを用いることができる。その場合には円盤状の伝達部６ａに等角度に磁石を設け、前記ボタン８ｂをその磁力を感知するエンコーダとする。
またリレー回路を設け、光源１１を点滅させることもできる。
【００４７】
本実施形態では、前記太陽電池パネル８ａを照射部材４に内蔵しているが、太陽電池パネル８ａを別体とし、その別体の太陽電池パネル８ａをケーブルなどで電気的に連結し、コネクタなどで脱着自在に設けてもよい。太陽電池パネル８ａを別体にすると、パネルの面積を大きくできるので、発電の効率が良い。
【００４８】
図示していないが、太陽電池パネル８ａを設けない場合には、前記充電池１０を乾電池としてもよい。
【符号の説明】
【００４９】
１  噴射ユニット
２  装着部材
２ａ  嵌合部
２ｂ  支持板
２ｃ  支持孔
２ｄ  操作片
２ｅ  固定部材
２ｆ  鍔状片
３  噴射部材
４  照射部材
５  本体部
５ａ  操作部
５ｂ  支持軸
６  噴射部
６ａ  伝達部
６ｂ  基部
６ｃ  平坦部
７  ケース
７ａ  開口
７ｂ  取付部
８  基板
８ａ  太陽電池パネル
８ｂ  ボタン
８ｃ  ボタンカバー
９  カバー
９ａ  開口
１０  充電池
１１  光源
１２  噴射ユニット
１３  変形部
２０  エアゾール製品
２１  エアゾール容器
２２  容器本体
２２ａ  外周部位
２２ｂ  目金
２３  バルブ
２３ａ  ステム
Ａ  エアゾール組成物
Ｘ  噴射方向
Ｙ  照射方向
Ｙ´  照射方向
【図１】
0006041122.tif 000002
【図２】
0006041122.tif 000003
【図３】
0006041122.tif 000004
【図４】
0006041122.tif 000005
【図５】
0006041122.tif 000006